(57)【特許請求の範囲】
【請求項１】
衛星通信システムにおける超小型地球局を構成する１以上の装置を監視する監視制御装置であって、
前記１以上の装置は、少なくとも電波の送信に係る送信関連装置を含み、
前記装置の動作状態を示す装置情報を取得する装置情報取得手段と、
取得した装置情報に基づいて、前記超小型地球局の障害の程度を示す局障害レベルを検出する局障害レベル検出手段と、
検出した前記局障害レベルに応じて、前記送信関連装置に対して電波の出力を段階的に抑制するように制御する装置制御手段と
を備え、
前記超小型地球局は、複数の装置から構成され、
前記装置情報取得手段は、複数の装置情報を取得し、
前記局障害レベル検出手段は、
装置毎に、取得した装置情報に基づいて、装置の障害の程度を示す装置障害レベルを検出する装置障害レベル検出手段と、
装置毎に検出した複数の装置障害レベルのうち最も障害の程度の高い装置障害レベルを局障害レベルと決定することにより、局障害レベルを検出する局障害レベル決定手段とを含み、
装置毎に１以上の監視項目が設定され、
前記装置情報は、１以上の項目情報を含み、前記項目情報は、前記監視項目における状態を示し、
前記装置情報取得手段は、前記装置情報として１以上の項目情報を取得し、
前記装置障害レベル検出手段は、
監視項目毎に、取得した項目情報に基づいて、監視項目における障害の程度を示す項目障害レベルを検出する項目障害レベル検出手段と、
監視項目毎に検出した項目障害レベルのうち最も障害の程度の高い項目障害レベルを装置障害レベルとして決定することにより、装置障害レベルを検出する装置障害レベル決定手段とを含み、
前記送信関連装置は、外部から電波の送信指示を受け付け、受け付けた送信指示に基づいて、アンテナを介して電波を送信し又はダミーロードへ出力し、
前記項目障害レベル検出手段は、監視項目における障害の程度を３段階で示す項目障害レベルを検出し、
前記装置障害レベル決定手段は、３段階で示される項目障害レベルのうちから、３段階で示される装置障害レベルを決定し、
前記局障害レベル決定手段は、３段階で示される装置障害レベルのうちから、３段階で示される局障害レベルを決定し、
前記装置制御手段は、
検出した前記局障害レベルが、前記３段階のうち最も低い段階を示す場合に、前記送信関連装置に対して外部から電波の送出指示を受け付けないように制御し、
検出した前記局障害レベルが、前記３段階のうち中程度の段階を示す場合に、前記送信関連装置に対して外部から電波の送信指示を受け付けないように制御し、かつ現在送出中の電波の送信を停止するように制御し、
検出した前記局障害レベルが、前記３段階のうち最も高い段階を示す場合に、前記送信関連装置に対して外部から電波の送信指示を受け付けないように制御し、現在送信中の電波の送信を停止するように制御し、かつ電波出力をアンテナからダミーロードに切替るように制御する
ことを特徴とする監視制御装置。
【請求項２】
衛星通信システムにおける超小型地球局を構成する１以上の装置を監視する監視制御装置で用いられる監視制御プログラムを記録しているコンピュータ読み取り可能な記録媒体であって、
前記１以上の装置は、少なくとも電波の送信に係る送信関連装置を含み、
前記監視制御プログラムは、
前記装置の動作状態を示す装置情報を取得する装置情報取得ステップと、
取得した装置情報に基づいて、前記超小型地球局の障害の程度を示す局障害レベルを検出する局障害レベル検出ステップと、
検出した前記局障害レベルに応じて、前記送信関連装置に対して電波の出力を段階的に抑制するように制御する装置制御ステップと
を含み、
前記超小型地球局は、複数の装置から構成され、
前記装置情報取得ステップは、複数の装置情報を取得し、
前記局障害レベル検出ステップは、
装置毎に、取得した装置情報に基づいて、装置の障害の程度を示す装置障害レベルを検出する装置障害レベル検出ステップと、
装置毎に検出した複数の装置障害レベルのうち最も障害の程度の高い装置障害レベルを局障害レベルと決定することにより、局障害レベルを検出する局障害レベル決定ステップとを含み、
装置毎に１以上の監視項目が設定され、
前記装置情報は、１以上の項目情報を含み、前記項目情報は、前記監視項目における状態を示し、
前記装置情報取得ステップは、前記装置情報として１以上の項目情報を取得し、
前記装置障害レベル検出ステップは、
監視項目毎に、取得した項目情報に基づいて、監視項目における障害の程度を示す項目障害レベルを検出する項目障害レベル検出ステップと、
監視項目毎に検出した項目障害レベルのうち最も障害の程度の高い項目障害レベルを装置障害レベルとして決定することにより、装置障害レベルを検出する装置障害レベル決定ステップとを含み、
前記送信関連装置は、外部から電波の送信指示を受け付け、受け付けた送信指示に基づいて、アンテナを介して電波を送信し又はダミーロードへ出力し、
前記項目障害レベル検出ステップは、監視項目における障害の程度を３段階で示す項目障害レベルを検出し、
前記装置障害レベル決定ステップは、３段階で示される項目障害レベルのうちから、３段階で示される装置障害レベルを決定し、
前記局障害レベル決定ステップは、３段階で示される装置障害レベルのうちから、３段階で示される局障害レベルを決定し、
前記装置制御ステップは、
検出した前記局障害レベルが、前記３段階のうち最も低い段階を示す場合に、前記送信関連装置に対して外部から電波の送出指示を受け付けないように制御し、
検出した前記局障害レベルが、前記３段階のうち中程度の段階を示す場合に、前記送信関連装置に対して外部から電波の送信指示を受け付けないように制御し、かつ現在送出中の電波の送信を停止するように制御し、
検出した前記局障害レベルが、前記３段階のうち最も高い段階を示す場合に、前記送信関連装置に対して外部から電波の送信指示を受け付けないように制御し、現在送信中の電波の送信を停止するように制御し、かつ電波出力をアンテナからダミーロードに切替るように制御する
ことを特徴とする記録媒体。
【発明の詳細な説明】
【０００１】
【発明の属する技術分野】
本発明は、衛星通信システムにおける超小型地球局の監視制御に関する。
【０００２】
【従来の技術】
衛星通信システムにおいて、超小型地球局（ＶＳＡＴ（Very Small Aperture Terminal）地球局）は、防災、地方行政等の公共分野や企業内通信分野等で利用されるようになっている。
特開平３−２６６５３９号公報により開示されている技術によると、衛星通信地球局の通信装置に異常が発生すると、前記衛星通信地球局を監視する監視制御装置は、これを検知し、前記通信装置の動作状態を示す監視データを音声信号に変換して公衆通信網を介して監視局へ送出し、監視局は、前記音声信号を受信する。このように、衛星通信地球局における異常がリアルタイムで監視局へ通知されるので、監視局に駐在する監視者は、保守作業者に対して衛星通信地球局の保守作業に着手するよう指示ができる。
【０００３】
【発明が解決しようとする課題】
しかしながら、監視者から指示を受けた保守作業者が前記衛星通信地球局が設置されている場所に到着し、保守作業を着手するまでには、相応の時間がかかるので、発生した異常が他へ波及し予期しない異常な電波が送出されるなど、発生した異常の影響範囲を最低限に食止められる保証がないという問題点がある。
【０００４】
上記の問題点を解決するために、本発明は、発生した異常を他に波及させることなく、最小限の影響範囲に抑えることができる超小型地球局の監視制御装置及び監視制御プログラムを記録している記録媒体を提供することを目的とする。
【０００５】
【課題を解決するための手段】
上記の目的を達成するために、本発明は、衛星通信システムにおける超小型地球局を構成する１以上の装置を監視する監視制御装置であって、前記１以上の装置は、少なくとも電波の送信に係る送信関連装置を含み、前記装置の動作状態を示す装置情報を取得する装置情報取得手段と、取得した装置情報に基づいて、前記超小型地球局の障害の程度を示す局障害レベルを検出する局障害レベル検出手段と、検出した前記局障害レベルに応じて、前記送信関連装置に対して電波の出力を段階的に抑制するように制御する装置制御手段とを備えることを特徴とする。
【０００６】
ここで、前記超小型地球局は、複数の装置から構成され、前記装置情報取得手段は、複数の装置情報を取得し、前記局障害レベル検出手段は、装置毎に、取得した装置情報に基づいて、装置の障害の程度を示す装置障害レベルを検出する装置障害レベル検出手段と、装置毎に検出した複数の装置障害レベルのうち最も障害の程度の高い装置障害レベルを局障害レベルと決定することにより、局障害レベルを検出する局障害レベル決定手段とを含むように構成してもよい。
【０００７】
ここで、装置毎に１以上の監視項目が設定され、前記装置情報は、１以上の項目情報を含み、前記項目情報は、前記監視項目における状態を示し、前記装置情報取得手段は、前記装置情報として１以上の項目情報を取得し、前記装置障害レベル検出手段は、監視項目毎に、取得した項目情報に基づいて、監視項目における障害の程度を示す項目障害レベルを検出する項目障害レベル検出手段と、監視項目毎に検出した項目障害レベルのうち最も障害の程度の高い項目障害レベルを装置障害レベルとして決定することにより、装置障害レベルを検出する装置障害レベル決定手段とを含むように構成してもよい。
【０００８】
ここで、前記送信関連装置は、外部から電波の送信指示を受け付け、受け付けた送信指示に基づいて、アンテナを介して電波を送信し又はダミーロードへ出力し、前記項目障害レベル検出手段は、監視項目における障害の程度を３段階で示す項目障害レベルを検出し、前記装置障害レベル決定手段は、３段階で示される項目障害レベルのうちから、３段階で示される装置障害レベルを決定し、前記局障害レベル決定手段は、３段階で示される装置障害レベルのうちから、３段階で示される局障害レベルを決定し、前記装置制御手段は、検出した前記局障害レベルが、前記３段階のうち最も低い段階を示す場合に、前記送信関連装置に対して外部から電波の送出指示を受け付けないように制御し、検出した前記局障害レベルが、前記３段階のうち中程度の段階を示す場合に、前記送信関連装置に対して外部から電波の送信指示を受け付けないように制御し、かつ現在送出中の電波の送信を停止するように制御し、検出した前記局障害レベルが、前記３段階のうち最も高い段階を示す場合に、前記送信関連装置に対して外部から電波の送信指示を受け付けないように制御し、現在送信中の電波の送信を停止するように制御し、かつ電波出力をアンテナからダミーロードに切替るように制御するように構成してもよい。
【０００９】
【発明の実施の形態】
本発明の１の実施の形態としてのＶＳＡＴ地球局について説明する。
１  衛星通信システム
衛星通信システムは、図１に示すように、通信の制御を行うＶＳＡＴハブ局１００ｄ、直径約２ｍ以下のアンテナを有し各地に散在するＶＳＡＴ地球局１００ａ、・・・、１００ｃ、通信衛星１０及び地上ネットワーク２０から構成され、ＶＳＡＴハブ局１００ｄ、ＶＳＡＴ地球局１００ａ、・・・、１００ｃは、通信衛星１０を介して通信を行う。
【００１０】
ＶＳＡＴハブ局１００ｄの詳細については、公知であるので説明を省略する。
２  ＶＳＡＴ地球局１００
前記の衛星通信システムを構成するＶＳＡＴ地球局１００ａ、・・・、１００ｃについて説明する。なお、ＶＳＡＴ地球局１００ａ、・・・、１００ｃは同一構成であるので、ここでは、ＶＳＡＴ地球局１００として説明する。
２．１  ＶＳＡＴ地球局１００の構成
ＶＳＡＴ地球局１００は、図２に示すように、局内監視制御装置１２１と監視対象装置１２２とから構成され、局内監視制御装置１２１は、監視制御端末１０１と監視制御ユニット１０２と監視制御ユニット１０３とＬＡＮユニット１０４とから構成される。
（１）監視対象装置１２２
監視対象装置１２２は、アンナテ装置１１１と高周波送受信装置１１２と変復調装置１１３と映像制御装置１１４とを含む。
【００１１】
監視対象装置１２２に含まれる各装置は、監視制御ユニット１０２又は１０３から装置状態の取得要求を受け取る。次に、各装置は、装置内部の装置状態を採取し、採取した装置状態を監視制御ユニット１０２又は１０３へ出力する。装置状態は、前記装置に設定された監視項目毎の状態を含む。
以下に各装置固有の機能及び構成等について説明する。
（ａ）アンテナ装置１１１
アンテナ装置１１１は、直径約２ｍのパラボラアンテナとアンテナ制御部とを有する。アンテナ制御部は、前記パラボラアンテナの方向を制御する。
【００１２】
ここで、監視項目は、アンテナ角度誤差であり、アンテナ装置１１１は、アンテナ角度誤差を採取する。
アンテナ装置１１１は、高周波送受信装置１１２から電波導波管を介して信号を受信し、受信した信号を電波として空間に送出する。また、電波を受信し、受信した電波を電力信号に変換し、電波導波管を介して、高周波送受信装置１１２へ出力する。
（ｂ）高周波送受信装置１１２
高周波送受信装置１１２は、切換部とダミーロードと送信電力制御部と電力増幅部などを備える。
【００１３】
高周波送受信装置１１２は、変復調装置１１３から信号を受け取り、増幅等の制御を行い、電波導波管を介して、アンナテ装置１１１へ出力する。また、アンテナ装置１１１から電波導波管を介して信号を受け取り、変復調装置１１３へ出力する。
切換部は、監視制御ユニット１０２から切換指示を受け取り、受け取った切換指示に従って、アンテナ装置１１１と電波導波管との接続、又はダミーロードと電波導波管との接続を切り換える。切換指示には「ダミーロード指示」が含まれる。高周波送受信装置１１２は、監視制御ユニット１０２から「ダミーロード指示」を受け取ると、電波の出力をダミーロード方向へ切り換える。
【００１４】
ダミーロードは、電波導波管を介して電力信号を受け取り、受け取った電力信号を、電波として空間に送出することなく、消費する。
高周波送受信装置１１２は、監視制御ユニット１０２から「停波指示」を受け取る。「停波指示」を受け取ると、信号のアンナテ部１１１への出力を停止する。
【００１５】
ここで、監視項目は、ウェブガイドスイッチ、制御モード及び電源であり、高周波送受信装置１１２は、ウェブガイドスイッチ、制御モード及び電源のそれぞれの状態を採取する。
（ｃ）変復調装置１１３
変復調装置１１３は、映像制御装置１１４から信号を受け取り、変調を施して高周波送受信装置１１２へ出力する。また、高周波送受信装置１１２から信号を受け取り、復調して映像制御装置１１４へ出力する。
【００１６】
ここで、監視項目は、出力周波数誤差及びキャリア信号出力であり、変復調装置１１３は、出力周波数誤差及びキャリア信号出力のそれぞれの状態を採取する。
（ｄ）映像制御装置１１４
映像制御装置１１４は、地上ネットワーク２０及びＬＡＮユニット１０４を介して外部から受け取った画像や音声などのデータと、これらのデータの送信を制御する制御情報とを受け取り、制御情報に従って、これらのデータを信号として変復調装置１１３へ出力する。また、変復調装置１１３から信号を受け取り、受け取った信号をＬＡＮユニット１０４及び地上ネットワーク２０を介して外部へ出力する。
【００１７】
制御情報には、送波指示が含まれる。映像制御装置１１４は、監視制御ユニット１０２から「ロック制御」を受け取る。「ロック制御」を受け取ると、送波指示の受け付けを拒絶し、前記のデータの変復調装置１１３への出力は行わない。
ここで、監視項目は、動作状態であり、映像制御装置１１４は、動作状態を採取する。
（２）監視制御端末１０１
監視制御端末１０１は、具体的には、モニタとキーボードとマウスと本体部とから構成され、本体部は、プロセッサとコンピュータプログラムを記録しているハードディスク部とＲＯＭとＲＡＭなどを含み、前記プロセッサは、前記プログラムにコンピュータに従って動作する。
【００１８】
監視制御端末１０１は、ＬＡＮユニット１０４を介して監視制御ユニット１０２及び１０３と接続されている。
（ａ）画面の構成
監視制御端末１０１は、図３に一例として示すように、局全体画面２００を表示する。局全体画面２００は、局状態表示アイコン２０１ａ、装置状態表示アイコン２０２〜２０５、メッセージ表示欄２０６及び初期設定ボタン２１１を含む。
【００１９】
局状態表示アイコンは、ＶＳＡＴ地球局１００の後述する局障害レベルを示すための表示用形象である。
監視制御端末１０１は、局障害レベルに応じて、局状態表示アイコン２０１ａ、２０１ｂ又は２０１ｃ（図３（ｂ）、（ｃ）に示す）のいずれか一つを局全体画面２００内に表示する。具体的には、局障害レベルが設定されていなければ、局状態表示アイコン２０１ａを表示し、局障害レベルが０であれば、局状態表示アイコン２０１ｃを表示し、局障害レベルが１〜３のいずれかであれば、局状態表示アイコン２０１ｂを表示する。
【００２０】
局状態表示アイコン２０１ａは、緑色の地の上に「運用」の文字を表示して形成され、ＶＳＡＴ地球局１００が正常な運用状態にあることを示している。局状態表示アイコン２０１ｃは、黄色の地の上に「警告」の文字を表示して形成され、ＶＳＡＴ地球局１００が警告状態にあることを示している。局状態表示アイコン２０１ｃは、赤色の地の上に「以上」の文字を表示して形成され、ＶＳＡＴ地球局１００が異常状態にあることを示している。
【００２１】
装置状態表示アイコンは、ＶＳＡＴ地球局１００を構成する各装置の後述する装置障害レベルを示すための表示用形象である。
監視制御端末１０１は、装置毎の装置障害レベルに応じて、装置状態表示アイコン２０２〜２０５の地の色を変えて表示する。装置障害レベルが設定されていなければ、装置状態表示アイコンの地の色を緑色にして表示し、当該装置が正常な運用状態にあることを示している。装置障害レベルが０であれば、装置状態表示アイコンの地の色を黄色にして表示し、当該装置が警告状態にあることを示している。装置障害レベルが１〜３のいずれかであれば、装置状態表示アイコンの地の色を赤色にして表示し、当該装置が異常状態にあることを示している。
【００２２】
局全体画面２００に含まれている装置状態表示アイコン２０２〜２０５のいずれかを操作者が操作すると、監視制御端末１０１は、それぞれ図４（ａ）〜（ｄ）に示す装置監視項目画面２２１、２３１、２４１、２５１を表示する。装置監視項目画面２２１は、項目アイコン２２２を含み、装置監視項目画面２３１は、項目アイコン２３２、２３３及び２３４を含み、装置監視項目画面２４１は、項目アイコン２４２及び２４３を含み、装置監視項目画面２５１は、項目アイコン２５２を含む。
【００２３】
項目アイコンは、装置毎に設けられた監視項目の後述する項目障害レベルを示すための表示用形象である。
監視制御端末１０１は、監視項目毎の項目障害レベルに応じて、項目アイコンの地の色を変えて表示する。項目障害レベルが設定されていなければ、項目アイコンの地の色を緑色にして表示し、当該監視項目が正常な運用状態にあることを示している。項目障害レベルが０であれば、項目アイコンの地の色を黄色にして表示し、当該監視項目が警告状態にあることを示している。項目障害レベルが１〜３のいずれかであれば、項目アイコンの地の色を赤色にして表示し、当該監視項目が異常状態にあることを示している。
【００２４】
監視制御端末１０１は、メッセージ表示欄２０６に各種のメッセージを表示する。
初期設定ボタン２１１が操作者により操作されると、監視制御端末１０１は、後述するように、初期設定処理を行う。
（ｂ）テーブルの構成
監視制御端末１０１は、装置実装テーブル３０１、障害レベルテーブル３１１、装置状態テーブル３２１、装置障害レベルテーブル３３１及び局障害レベルテーブル３４１を有している。
（装置実装テーブル３０１）
装置実装テーブル３０１は、図５に一例として示すように、装置名称と実装有無とタイプとからなる組を複数個含んでおり、各組は、装置名称に示される装置が監視対象装置１２２内に装備されているか否かを示している。
【００２５】
監視制御端末１０１が、装置実装テーブル３０１を有しているのは、ＶＳＡＴ地球局１００が設置される場所の気候などにより、ＶＳＡＴ地球局１００を構成する装置が異なるためである。例えば、融雪装置は、降雪量が多い地方にＶＳＡＴ地球局１００が設置される場合に、ＶＳＡＴ地球局１００内に装備される。
装置名称は、監視対象装置１２２に装備され得る装置を識別する名称を示しており、あらかじめそれぞれの装置の名称が装置実装テーブル３０１に書き込まれている。実装有無は、対応する装置名称により示される装置が、監視対象装置１２２に装備されているか否かを示し、「１」である場合に、その装置が監視対象装置１２２に装備されており、「０」である場合に、その装置が監視対象装置１２２に装備されていないことを示している。また、タイプは、対応する装置名称により識別される装置が設置される場所の区別を示している。この図に示すように、タイプには、「屋外」又は「屋内」の２種類があり、それぞれの装置のタイプは、あらかじめ装置実装テーブル３０１に書き込まれている。
【００２６】
この図に示すように、「アンテナ装置」、「高周波送受信装置」、「変復調装置」及び「映像制御装置」は、対応する実装有無がそれぞれ「１」であるので、監視対象装置１２２に装備されていることを示しており、「融雪装置」は、対応する実装有無がそれぞれ「０」であるので、監視対象装置１２２に装備されていないことを示している。
【００２７】
また、この図に示すように、「アンテナ装置」、「高周波送受信装置」及び「融雪装置」は、それぞれ屋外に設置されており、「変復調装置」及び「映像制御装置」は、屋内に設置されている。
（障害レベルテーブル３１１）
障害レベルテーブル３１１は、図６に一例として示すように、装置名称、監視項目名称、正常状態及び４段階の異常状態からなる組を複数個含んでおり、各組は、装置毎に設けられた監視項目の正常状態と４段階（障害レベル０〜３）の異常状態を示している。障害レベルの値が小さいほど、程度の低い障害であり、障害レベルの値が大きいほど、程度の高い障害である。
【００２８】
装置名称は、監視対象装置１２２に含まれている装置を識別する名称を示している。
監視項目名称は、装置毎に設けられた監視項目を識別する名称を示している。正常状態は、対応する監視項目が正常である場合の、監視項目の具体的な状況を示している。また、４段階の異常状態は、それぞれ、対応する監視項目が４段階の異常である場合の、監視項目の具体的な状況を示している。例えば、アンテナ装置のアンテナ角度誤差は、０％、０〜１％（０％及び１％を含まない）、１〜１０％（１０％を含まない）、１０〜２０％（２０％を含まない）及び２０％以上の５種類の状態をとり、０％である場合は、正常状態であり、０〜１％（０％及び１％を含まない）、１〜１０％（１０％を含まない）、１０〜２０％（２０％を含まない）及び２０％以上である場合は、それぞれ、障害レベル「０」、「１」、「２」及び「３」の異常状態である。また、高周波送受信装置のウェブガイドスイッチは、「アンテナ方向」及び「ダミー方向」のいずれか一方の状態のみを取り、ウェブガイドスイッチが「アンテナ方向」である場合には、正常状態であり、「ダミー方向」である場合には、障害レベル「３」の異常状態である。
（装置状態テーブル３２１）
装置状態テーブル３２１は、図７に一例として示すように、装置名称、監視項目名称、状態情報及び項目障害レベルの組を複数個含む。
【００２９】
装置名称は、監視対象装置１２２に含まれている装置を識別する名称を示している。
監視項目名称は、装置毎に設けられた監視項目を識別する名称を示している。
状態情報は、同じ組に含まれる装置名称により識別される装置における、同じ組に含まれる監視名称項目により識別される監視項目の状態を示す情報である。状態情報は、障害レベルテーブル３１１に示す正常状態及び４段階の異常状態のうちのいずれか１つをとる。
【００３０】
項目障害レベルは、同じ組に含まれる状態情報が示す障害の程度を示しており、４段階の値（障害レベル０〜３）をとる。ここで、障害レベルの値が小さいほど、程度の低い障害であり、障害レベルの値が大きいほど、程度の高い障害である。また、状態情報が正常状態を示す場合には、項目障害レベルは値を有しない。
（装置障害レベルテーブル３３１）
装置障害レベルテーブル３３１は、図８に一例として示すように、装置名称と装置障害レベルとの組を複数個含む。
【００３１】
装置名称は、監視対象装置１２２に含まれている装置を識別する名称を示している。
装置障害レベルは、同じ組に含まれる装置名称により識別される装置の障害の程度を示しており、４段階の値（障害レベル０〜３）をとる。ここで、障害レベルの値が小さいほど、程度の低い障害であり、障害レベルの値が大きいほど、程度の高い障害である。また、装置が正常状態である場合には、装置障害レベルは値を有しない。
（局障害レベルテーブル３４１）
局障害レベルテーブル３４１は、図９に一例として示すように、１個の局障害レベルを含む。
【００３２】
局障害レベルは、ＶＳＡＴ地球局１００の障害の程度を示しており、４段階の値（障害レベル０〜３）をとる。ここで、障害レベルの値が小さいほど、程度の低い障害であり、障害レベルの値が大きいほど、程度の高い障害である。また、ＶＳＡＴ地球局１００が正常状態である場合には、局障害レベルは値を有しない。
（ｃ）初期設定
監視制御端末１０１は、ＶＳＡＴ地球局１００が運用を開始する前に、装置実装テーブル３０１及び障害レベルテーブル３１１の内容を設定し、内容の設定された装置実装テーブル３０１及び障害レベルテーブル３１１内のそれぞれ該当する組を各監視制御ユニットへ出力する。以下に詳細を説明する。
【００３３】
監視制御端末１０１は、操作者から装置実装テーブル３０１にあらかじめ書き込まれている装置名称毎に、実装有無の入力を受け付け、入力を受け付けた実装有無を装置実装テーブル３０１に装置名称に対応付けて書き込む。
また、監視制御端末１０１は、操作者から装置名称及び監視項目名称の入力を受け付け、また、入力を受け付けた装置名称及び監視項目名称毎に、当該監視項目の正常状態及び４段階の異常状態の入力を受け付け、入力を受け付けた装置名称と監視項目名と正常状態と４段階の異常状態とからなる組を障害レベルテーブル３１１に書き込む。
【００３４】
次に、監視制御端末１０１は、装置実装テーブル３０１に含まれる各組のうち、「屋外」であるタイプを含む組を全て監視制御ユニット１０２へ出力し、「屋内」であるタイプを含む組を全て監視制御ユニット１０３へ出力する。
次に、監視制御端末１０１は、装置実装テーブル３０１に含まれている装置名称とタイプとの組を用いて、障害レベルテーブル３１１に含まれる各組の装置のタイプを判断し、障害レベルテーブル３１１に含まれる各組のうち、「屋外」であるタイプの装置名称を含む組を全て監視制御ユニット１０２へ出力し、「屋内」であるタイプの装置名称を含む組を全て監視制御ユニット１０３へ出力する。（ｄ）監視制御処理
監視制御端末１０１は、監視制御ユニット１０２から装置名称と装置状態とを受け取る。ここで、装置状態は、当該装置に設定された監視項目毎の状態情報を含む。監視制御端末１０１は、装置状態に含まれる状態情報に対応する項目障害レベルを障害レベルテーブル３１１から取り出す。ここで、状態情報が正常であるなら、項目障害レベルとして、空白を取り出す。受け取った状態情報と取り出した項目障害レベルとを装置状態テーブル３２１の対応する状態情報と項目障害レベルとに上書きする。ここで、状態情報が正常であるなら、装置状態テーブル３２１の対応する項目障害レベルに空白を書き込む。監視制御端末１０１は、受け取った装置状態に含まれるすべての監視項目について、項目障害レベルの取り出しと、装置状態テーブル３２１への上書きを繰り返す。
【００３５】
次に、監視制御端末１０１は、装置状態テーブル３２１内の、受け取った装置名称に対応する項目障害レベルを用いて、受け取った装置名称に対応する装置監視項目画面の、各項目アイコンの表示色を変更する。具体的には、装置状態テーブル３２１内の項目障害レベルが設定されていなければ、項目アイコンの表示色を「緑色」とし、項目障害レベルが「０」、「１」、「２」又は「３」であるならば、項目アイコンの表示色をそれぞれ、「黄色」、「赤色」、「赤色」又は「赤色」とする。
【００３６】
次に、監視制御端末１０１は、装置状態テーブル３２１内の受け取った装置名称に対応する全ての項目障害レベルの中から、最大の値を有するレベルを選択し、選択したレベルと装置障害レベルテーブル３３１内の受け取った装置名称に対応する装置障害レベルとを比較し、一致しないならば、選択したレベルを装置障害レベルテーブル３３１内の前記装置障害レベルに上書きする。
【００３７】
監視制御端末１０１は、装置障害レベルテーブル３３１に含まれる装置名称に対応する装置障害レベルに基づいて、局全体画面２００に含まれる装置状態表示アイコンを変更する。具体的には、装置障害レベルが設定されていないならば（空白であるならば）、装置状態表示アイコンの地の色を「緑色」とする。装置障害レベルが「０」、「１」、「２」又は「３」であるならば、装置状態表示アイコンのそれぞれの地の色を、それぞれ、「黄色」、「赤色」、「赤色」又は「赤色」とする。次に、局全体画面２００を再表示する。
【００３８】
次に、監視制御端末１０１は、装置障害レベルテーブル３３１内の全ての装置障害レベルの中から、最大の値を有するレベルを選択し、選択したレベルと局障害レベルテーブル３４１内の局障害レベルとを比較し、一致しないならば、選択したレベルを局障害レベルテーブル３４１内の前記局障害レベルに上書きする。次に、監視制御端末１０１は、局障害レベルテーブル３４１に含まれる局障害レベルに基づいて、局全体画面２００に含まれる局状態表示アイコンを変更する。具体的には、局障害レベルが設定されていないならば（空白であるならば）、局状態表示アイコンを図３（ａ）に示す局状態表示アイコン２０１ａとする。装置障害レベルが「０」、「１」、「２」又は「３」であるならば、局状態をそれぞれ、図３（ｃ）に示す局状態表示アイコン２０１ｃ、図３（ｂ）に示す局状態表示アイコン２０１ｂ、局状態表示アイコン２０１ｂ又は局状態表示アイコン２０１ｂとする。次に、監視制御端末１０１は、局全体画面２００を再表示する。
【００３９】
監視制御端末１０１は、局障害レベルテーブル３４１に含まれる局障害レベルが「１」であるならば、「ロック制御」を監視制御ユニット１０２へ出力する。監視制御端末１０１は、局障害レベルテーブル３４１に含まれる局障害レベルが「２」であるならば、「ロック制御」を監視制御ユニット１０２へ出力し、送波中であるか否かを判定し、送波中であるなら、「停波指示」を監視制御ユニット１０２へ出力する。
【００４０】
監視制御端末１０１は、局障害レベルテーブル３４１に含まれる局障害レベルが「３」であるならば、「ロック制御」を監視制御ユニット１０２へ出力し、送波中であるか否かを判定し、送波中であるなら、「停波指示」を監視制御ユニット１０２へ出力し、「ダミーロード指示」を監視制御ユニット１０２へ出力する。
【００４１】
なお、上記において、監視制御端末１０１と監視制御ユニット１０２との関係について述べているが、監視制御端末１０１と監視制御ユニット１０３との関係についても同様であるので、説明を省略する。
（３）監視制御ユニット１０２
監視制御ユニット１０２は、アンテナ装置１０２及び高周波送受信装置１１２と接続されている。
（ａ）初期設定
監視制御ユニット１０２は、ＶＳＡＴ地球局１００が運用を開始する前に、監視制御端末１０１から、装置実装テーブル３０１に含まれる各組のうち、「屋外」であるタイプを含む組を全て受け取り、受け取った組を装置実装テーブル３０１ａ（図示していない）として記憶する。また、障害レベルテーブル３１１に含まれる各組のうち、「屋外」であるタイプの装置名称を含む組を全て受け取り、受け取った組を障害レベルテーブル３１１ａ（図示していない）として記憶する。
（ｂ）監視制御処理
監視制御ユニット１０２は、装置状態テーブル３２１ａ（図示していない）を有している。装置状態テーブル２３１ａは、装置名称、監視項目名称及び状態情報からなる組を複数個記憶している。装置名称、監視項目名称及び状態情報は、装置状態テーブル３２１に含まれる装置名称、監視項目名称及び状態情報と同じであるので、それぞれの説明は省略する。装置状態テーブル２３１ａに含まれる組の数は、障害レベルテーブル３１１ａに含まれる組の数と同数であり、装置状態テーブル２３１ａの各組に含まれる各装置名称及び各監視項目は、障害レベルテーブル３１１ａの対応する組に含まれる装置名称及び監視項目と同じである。
【００４２】
監視制御ユニット１０２は、タイマを内蔵しており、現時点が午前０時であるか否かを判定し、午前０時であれば、装置実装テーブル３０１ａから装置名称と実装有無の組を１個ずつ順に読み出し、実装有無が「１」であるならば、読み出した装置名称により識別される装置に対して装置状態の取得要求を出力する。
なお、上記時刻判定は、さらに頻繁に行うとしてもよい。例えば、１時間毎に、又は１０分毎に行うとしてもよい。
【００４３】
監視制御ユニット１０２は、前記取得要求を出力した装置から当該装置の装置状態を受け取る。装置状態は、当該装置に設定された監視項目毎の状態情報を含む。監視制御ユニット１０２は、前記装置に設定された監視項目毎に、受け取った状態情報と装置状態テーブル３２１ａ内の監視項目の状態情報とを比較する。全ての監視項目のうち、１個でも状態情報が不一致であるならば、当該装置名称と装置状態とを監視制御端末１０１へ出力する。また、受け取った装置状態を装置状態テーブル３２１ａの当該装置名称に対応する状態情報に上書きする。
【００４４】
監視制御ユニット１０２は、監視制御端末１０１から「ロック制御」を受け取り、受け取った「ロック制御」を映像制御装置１１４へ出力する。また、監視制御端末１０１から「停波指示」を受け取り、受け取った「停波指示」を高周波送受信装置１１２へ出力する。また、監視制御端末１０１から「ダミーロード指示」を受け取り、受け取った「ダミーロード指示」を高周波送受信装置１１２へ出力する。
【００４５】
なお、監視制御ユニット１０３は、変復調装置１１３及び映像制御装置１１４に接続され、監視制御ユニット１０２と同様の構成を有している。詳細の説明は省略する。
２．２  ＶＳＡＴ地球局１００の局内監視制御装置１２１の動作
ＶＳＡＴ地球局１００の局内監視制御装置１２１の動作について説明する。
（１）初期設定の動作
ＶＳＡＴ地球局１００の局内監視制御装置１２１の初期設定の動作について、図１０に示すフローチャートを用いて説明する。
【００４６】
監視制御端末１０１は、ＶＳＡＴ地球局１００が運用を開始する前に、操作者の入力を受け付けて、装置実装テーブル３０１の内容を設定し（ステップＳ１０１）、障害レベルテーブル３１１の内容を設定し（ステップＳ１０２）、内容の設定された装置実装テーブル３０１及び障害レベルテーブル３１１内のそれぞれ該当する組を各監視制御ユニットへ出力し、各監視制御ユニットは、それぞれ組を受け取り、記憶する（ステップＳ１０２）。
（２）監視制御ユニット１０２及び各装置の動作
監視制御ユニット１０２及び各装置の動作について、図１１に示すフローチャートを用いて説明する。
【００４７】
監視制御ユニット１０２は、現在が午前０時であるか否かを判定し、午前０時であれば（ステップＳ１２１）、装置実装テーブル３０１ａから装置名称と実装有無の組を１個ずつ順に読み出し（ステップＳ１２２）、読み出しが終了したか否かを判定する。終了であるならば（ステップＳ１２３）、ステップＳ１２１へ戻る。終了でないならば（ステップＳ１２３）、実装有無が「０」であるならば（ステップＳ１２４）、ステップＳ１２２へ戻る。実装有無が「１」であるならば（ステップＳ１２４）、読み出した装置名称により識別される装置に対して装置状態の取得要求を出力する（ステップＳ１２５）。
【００４８】
監視対象装置１２２に含まれる各装置は、監視制御ユニット１０２から装置状態の取得要求を受け取り（ステップＳ１３１）、各装置は、装置内部の装置状態を採取し（ステップＳ１３２）、採取した装置状態を監視制御ユニット１０２へ出力する（ステップＳ１３３）。
監視制御ユニット１０２は、前記装置から装置状態を受け取る（ステップＳ１２６）。次に、前記装置に設定された監視項目毎に、受け取った状態情報と装置状態テーブル３２１ａ内の監視項目の状態情報とを比較する。全ての監視項目の状態情報が一致するならば（ステップＳ１２７）、ステップＳ１２２へ戻る。全ての監視項目のうち、１個でも状態情報が不一致であるならば（ステップＳ１２７）、当該装置名称と、装置状態とを監視制御端末１０１へ出力し（ステップＳ１２８）、受け取った装置状態を装置状態テーブル３２１ａの当該装置名称に対応する状態情報に上書きする（ステップＳ１２９）。次に、ステップＳ１２２へ戻る。
（３）監視制御の動作
監視制御の動作について、図１２〜図１４に示すフローチャートを用いて説明する。
【００４９】
監視制御端末１０１は、監視制御ユニット１０２から装置名称と装置状態とを受け取る（ステップＳ１４１）。監視制御端末１０１は、装置状態に含まれる状態情報に対応する項目障害レベルを障害レベルテーブル３１１から取り出す（ステップＳ１４２）。受け取った状態情報と取り出した項目障害レベルとを装置状態テーブル３２１の対応する状態情報と項目障害レベルとに上書きする（ステップＳ１４３）。次に、全ての監視項目について終了していなければ（ステップＳ１４４）、ステップＳ１４２へ戻り、受け取った装置状態に含まれるすべての監視項目について、項目障害レベルの取り出しと、装置状態テーブル３２１への上書きを繰り返す。終了していれば（ステップＳ１４４）、監視制御端末１０１は、装置状態テーブル３２１内の、受け取った装置名称に対応する項目障害レベルを用いて、受け取った装置名称に対応する装置監視項目画面の、各項目アイコンの表示色を変更する（ステップＳ１４５）。
【００５０】
次に、監視制御端末１０１は、装置状態テーブル３２１内の受け取った装置名称に対応する全ての項目障害レベルの中から、最大の値を有するレベルを選択し（ステップＳ１４６）、選択したレベルと装置障害レベルテーブル３３１内の受け取った装置名称に対応する装置障害レベルとを比較し、一致するならば（ステップＳ１４７）、ステップＳ１４１へ戻る。一致しないならば（ステップＳ１４７）、選択したレベルを前記装置障害レベルに上書きし（ステップＳ１４８）、装置障害レベルテーブル３３１に含まれる装置名称に対応する装置障害レベルに基づいて、局全体画面２００に含まれる装置状態表示アイコンを変更し、局全体画面２００を再表示する（ステップＳ１４９）。
【００５１】
次に、監視制御端末１０１は、装置障害レベルテーブル３３１内の全ての装置障害レベルの中から、最大の値を有するレベルを選択し（ステップＳ１５０）、選択したレベルと局障害レベルテーブル３４１内の局障害レベルとを比較し、一致するならば（ステップＳ１５１）、ステップＳ１４１へ戻る。一致しないならば（ステップＳ１５１）、選択したレベルを前記局障害レベルに上書きする（ステップＳ１５２）。次に、監視制御端末１０１は、局障害レベルテーブル３４１に含まれる局障害レベルに基づいて、局全体画面２００に含まれる局状態表示アイコンを変更し、局全体画面２００を再表示する（ステップＳ１５３）。
【００５２】
次に、監視制御端末１０１は、局障害レベルテーブル３４１に含まれる局障害レベルが「１」であるならば（ステップＳ１５４）、「ロック制御」を監視制御ユニット１０２へ出力し（ステップＳ１５５）、監視制御ユニット１０２は、監視制御端末１０１から「ロック制御」を受け取り、受け取った「ロック制御」を映像制御装置１１４へ出力し（ステップＳ１５６）、映像制御装置１１４は、監視制御ユニット１０２から「ロック制御」を受け取ると、送波指示の受け付けを拒絶する（ステップＳ１５７）。
【００５３】
監視制御端末１０１は、局障害レベルテーブル３４１に含まれる局障害レベルが「２」であるならば（ステップＳ１５４）、「ロック制御」を監視制御ユニット１０２へ出力し（ステップＳ１５５）、監視制御ユニット１０２は、受け取った「ロック制御」を映像制御装置１１４へ出力し（ステップＳ１５６）、映像制御装置１１４は、送波指示の受け付けを拒絶する（ステップＳ１５７）。さらに、監視制御端末１０１は、送波中であるか否かを判定し、送波中であるなら（ステップＳ１６１）、「停波指示」を監視制御ユニット１０２へ出力し（ステップＳ１６２）、監視制御ユニット１０２は、監視制御端末１０１から「停波指示」を受け取り、受け取った「停波指示」を高周波送受信装置１１２へ出力し（ステップＳ１６３）、高周波送受信装置１１２は、監視制御ユニット１０２から「停波指示」を受け取ると、信号のアンナテ部１１１への出力を停止する（ステップＳ１６４）。
【００５４】
監視制御端末１０１は、局障害レベルテーブル３４１に含まれる局障害レベルが「３」であるならば（ステップＳ１５４）、「ロック制御」を監視制御ユニット１０２へ出力し（ステップＳ１５５）、監視制御ユニット１０２は、「ロック制御」を映像制御装置１１４へ出力し（ステップＳ１５６）、映像制御装置１１４は、送波指示の受け付けを拒絶する（ステップＳ１５７）。さらに、監視制御端末１０１は、送波中であるなら（ステップＳ１６１）、「停波指示」を監視制御ユニット１０２へ出力し（ステップＳ１６２）、監視制御ユニット１０２は、「停波指示」を高周波送受信装置１１２へ出力し（ステップＳ１６３）、高周波送受信装置１１２は、監視制御ユニット１０２から「停波指示」を受け取ると、信号のアンナテ部１１１への出力を停止する（ステップＳ１６４）。さらに、監視制御端末１０１は、「ダミーロード指示」を監視制御ユニット１０２へ出力し（ステップＳ１７１）、監視制御ユニット１０２は、監視制御端末１０１から「ダミーロード指示」を受け取り、受け取った「ダミーロード指示」を高周波送受信装置１１２へ出力し（ステップＳ１７２）、高周波送受信装置１１２の切換部は、監視制御ユニット１０２から「ダミーロード指示」を受け取り、電波の出力をダミーロード方向へ切り換える（ステップＳ１７３）。
３  まとめ
このように、無人の衛星通信ＶＳＡＴ局において、ＶＳＡＴ局を構成するアンテナ装置、高周波送受信装置、変復調装置、映像制御装置及び回線制御装置などの異常を各装置の監視項目毎に検知すると、項目障害レベルを決定し、装置障害レベルを決定し、局障害レベルを決定し、局障害レベルを用いて、異常の内容や影響の程度に応じて、送波指示の受け付け拒絶、送信中の電波の停止又はアンナテからダミーロードへの信号の出力先の切換を行うことにより、異常電波送出の未然防止もしくは最小限の影響範囲への局所化などのフェールセーフが行える。
【００５５】
なお、本発明は、上記に示す実施の形態に限るものではなく、以下に示すようにしてもよい。
（１）別の実施の形態の一つは、上記により示される監視制御方法であるとしてもよい。また、前記監視制御方法をコンピュータに実行させるコンピュータプログラムであるとしてもよいし、また前記コンピュータプログラムを記録しているコンピュータ読み取り可能な記録媒体としてもよい。この記録媒体は、例えば、フロッピィディスク、ＭＯ、ＣＤ−ＲＯＭ、ＤＶＤ−ＲＯＭ、ＤＶＤ−ＲＡＭ、半導体メモリである。さらに、前記コンピュータプログラムを通信回線を介して伝送するとしてもよいし、前記通信回線を介して伝送されるデジタル信号であるとしてもよい。
（２）上記に示す実施の形態及びその変形例をそれぞれ組み合わせてもよい。
【００５６】
【発明の効果】
以上説明したように、本発明は、衛星通信システムにおける超小型地球局を構成する１以上の装置を監視する監視制御装置であって、前記１以上の装置は、少なくとも電波の送信に係る送信関連装置を含み、前記装置の動作状態を示す装置情報を取得する装置情報取得手段と、取得した装置情報に基づいて、前記超小型地球局の障害の程度を示す局障害レベルを検出する局障害レベル検出手段と、検出した前記局障害レベルに応じて、前記送信関連装置に対して電波の出力を段階的に抑制するように制御する装置制御手段とを備える。
【００５７】
この構成によると、取得した装置情報に基づいて検出された局障害レベルに応じて、送信関連装置の電波出力を段階的に抑制するので、発生した異常が他に波及することなく、最小限の影響範囲に抑えることができるという効果がある。
ここで、前記超小型地球局は、複数の装置から構成され、前記装置情報取得手段は、複数の装置情報を取得し、前記局障害レベル検出手段は、装置毎に、取得した装置情報に基づいて、装置の障害の程度を示す装置障害レベルを検出する装置障害レベル検出手段と、装置毎に検出した複数の装置障害レベルのうち最も障害の程度の高い装置障害レベルを局障害レベルと決定することにより、局障害レベルを検出する局障害レベル決定手段とを含むように構成してもよい。
【００５８】
この構成によると、装置毎に検出された装置障害レベルのうち最も障害の程度の高い装置障害レベルを局障害レベルとすることにより、超小型地球局全体の障害の程度をより適切に決定できるという効果がある。
ここで、装置毎に１以上の監視項目が設定され、前記装置情報は、１以上の項目情報を含み、前記項目情報は、前記監視項目における状態を示し、前記装置情報取得手段は、前記装置情報として１以上の項目情報を取得し、前記装置障害レベル検出手段は、監視項目毎に、取得した項目情報に基づいて、監視項目における障害の程度を示す項目障害レベルを検出する項目障害レベル検出手段と、監視項目毎に検出した項目障害レベルのうち最も障害の程度の高い項目障害レベルを装置障害レベルとして決定することにより、装置障害レベルを検出する装置障害レベル決定手段とを含むように構成してもよい。
【００５９】
この構成によると、監視項目毎に検出された項目障害レベルのうち最も障害の程度の高い項目障害レベルを装置障害レベルとするので、各装置の障害の程度をより適切に決定できるという効果がある。
ここで、前記送信関連装置は、外部から電波の送信指示を受け付け、受け付けた送信指示に基づいて、アンテナを介して電波を送信し又はダミーロードへ出力し、前記項目障害レベル検出手段は、監視項目における障害の程度を３段階で示す項目障害レベルを検出し、前記装置障害レベル決定手段は、３段階で示される項目障害レベルのうちから、３段階で示される装置障害レベルを決定し、前記局障害レベル決定手段は、３段階で示される装置障害レベルのうちから、３段階で示される局障害レベルを決定し、前記装置制御手段は、検出した前記局障害レベルが、前記３段階のうち最も低い段階を示す場合に、前記送信関連装置に対して外部から電波の送出指示を受け付けないように制御し、検出した前記局障害レベルが、前記３段階のうち中程度の段階を示す場合に、前記送信関連装置に対して外部から電波の送信指示を受け付けないように制御し、かつ現在送出中の電波の送信を停止するように制御し、検出した前記局障害レベルが、前記３段階のうち最も高い段階を示す場合に、前記送信関連装置に対して外部から電波の送信指示を受け付けないように制御し、現在送信中の電波の送信を停止するように制御し、かつ電波出力をアンテナからダミーロードに切替るように制御するように構成してもよい。
【００６０】
この構成によると、局障害レベルが最も低い場合に、前記送信関連装置に対して外部から電波の送出指示を受け付けないように制御し、局障害レベルが中程度である場合に、さらに、現在送出中の電波の送信を停止するように制御し、局障害レベルが、最も高い場合に、さらに、電波出力をアンテナからダミーロードに切替るように制御するので、局障害レベルに応じて段階的に電波の出力を抑制して、発生した異常の影響範囲を最低限に食止めることができ、最悪の場合であっても、異常な電波の空間への送出を防止することができるという効果がある。
【００６１】
また、本発明は、衛星通信システムにおける超小型地球局を構成する１以上の装置を監視する監視制御装置で用いられる監視制御プログラムを記録しているコンピュータ読み取り可能な記録媒体であって、前記１以上の装置は、少なくとも電波の送信に係る送信関連装置を含み、前記監視制御プログラムは、前記装置の動作状態を示す装置情報を取得する装置情報取得ステップと、取得した装置情報に基づいて、前記超小型地球局の障害の程度を示す局障害レベルを検出する局障害レベル検出ステップと、検出した前記局障害レベルに応じて、前記送信関連装置に対して電波の出力を段階的に抑制するように制御する装置制御ステップとを含むように構成してもよい。
【００６２】
この監視制御プログラムをコンピュータにより実行することにより、取得した装置情報に基づいて検出された局障害レベルに応じて、送信関連装置の電波出力を段階的に抑制するので、発生した異常が他に波及することなく、最小限の影響範囲に抑えることができるという効果がある。
ここで、前記超小型地球局は、複数の装置から構成され、前記装置情報取得ステップは、複数の装置情報を取得し、前記局障害レベル検出ステップは、装置毎に、取得した装置情報に基づいて、装置の障害の程度を示す装置障害レベルを検出する装置障害レベル検出ステップと、装置毎に検出した複数の装置障害レベルのうち最も障害の程度の高い装置障害レベルを局障害レベルと決定することにより、局障害レベルを検出する局障害レベル決定ステップとを含むように構成してもよい。
【００６３】
この監視制御プログラムをコンピュータにより実行することにより、装置毎に検出された装置障害レベルのうち最も障害の程度の高い装置障害レベルを局障害レベルとすることにより、超小型地球局全体の障害の程度をより適切に決定できるという効果がある。
ここで、装置毎に１以上の監視項目が設定され、前記装置情報は、１以上の項目情報を含み、前記項目情報は、前記監視項目における状態を示し、前記装置情報取得ステップは、前記装置情報として１以上の項目情報を取得し、前記装置障害レベル検出ステップは、監視項目毎に、取得した項目情報に基づいて、監視項目における障害の程度を示す項目障害レベルを検出する項目障害レベル検出ステップと、監視項目毎に検出した項目障害レベルのうち最も障害の程度の高い項目障害レベルを装置障害レベルとして決定することにより、装置障害レベルを検出する装置障害レベル決定ステップとを含むように構成してもよい。
【００６４】
この監視制御プログラムをコンピュータにより実行することにより、監視項目毎に検出された項目障害レベルのうち最も障害の程度の高い項目障害レベルを装置障害レベルとするので、各装置の障害の程度をより適切に決定できるという効果がある。
ここで、前記送信関連装置は、外部から電波の送信指示を受け付け、受け付けた送信指示に基づいて、アンテナを介して電波を送信し又はダミーロードへ出力し、前記項目障害レベル検出ステップは、監視項目における障害の程度を３段階で示す項目障害レベルを検出し、前記装置障害レベル決定ステップは、３段階で示される項目障害レベルのうちから、３段階で示される装置障害レベルを決定し、前記局障害レベル決定ステップは、３段階で示される装置障害レベルのうちから、３段階で示される局障害レベルを決定し、前記装置制御ステップは、検出した前記局障害レベルが、前記３段階のうち最も低い段階を示す場合に、前記送信関連装置に対して外部から電波の送出指示を受け付けないように制御し、検出した前記局障害レベルが、前記３段階のうち中程度の段階を示す場合に、前記送信関連装置に対して外部から電波の送信指示を受け付けないように制御し、かつ現在送出中の電波の送信を停止するように制御し、検出した前記局障害レベルが、前記３段階のうち最も高い段階を示す場合に、前記送信関連装置に対して外部から電波の送信指示を受け付けないように制御し、現在送信中の電波の送信を停止するように制御し、かつ電波出力をアンテナからダミーロードに切替るように制御するように構成してもよい。
【００６５】
この監視制御プログラムをコンピュータにより実行することにより、局障害レベルが最も低い場合に、前記送信関連装置に対して外部から電波の送出指示を受け付けないように制御し、局障害レベルが中程度である場合に、さらに、現在送出中の電波の送信を停止するように制御し、局障害レベルが、最も高い場合に、さらに、電波出力をアンテナからダミーロードに切替るように制御するので、局障害レベルに応じて段階的に電波の出力を抑制して、発生した異常の影響範囲を最低限に食止めることができ、最悪の場合であっても、異常な電波の空間への送出を防止することができるという効果がある。
【図面の簡単な説明】
【図１】本発明の１の実施の形態としての通信衛星システムの構成を示すブロック図である。
【図２】本発明の１の実施の形態としてのＶＳＡＴ地球局１００の構成を示すブロック図である。
【図３】（ａ）ＶＳＡＴ地球局１００の監視制御端末１０１に表示される局全体画面２００の一例を示す。
（ｂ）異常がある場合の局状態表示アイコンの一例を示す。
（ｃ）警告状態の場合の局状態表示アイコンの一例を示す。
【図４】ＶＳＡＴ地球局１００の監視制御端末１０１に表示される各装置監視項目画面の一例を示す。
【図５】ＶＳＡＴ地球局１００の監視制御端末１０１が有する装置実装テーブル３０１の一例を示す。
【図６】ＶＳＡＴ地球局１００の監視制御端末１０１が有する障害レベルテーブル３１１の一例を示す。
【図７】ＶＳＡＴ地球局１００の監視制御端末１０１が有する装置状態テーブル３２１の一例を示す。
【図８】ＶＳＡＴ地球局１００の監視制御端末１０１が有する装置障害レベルテーブル３３１の一例を示す。
【図９】ＶＳＡＴ地球局１００の監視制御端末１０１が有する局障害レベルテーブル３４１の一例を示す。
【図１０】ＶＳＡＴ地球局１００の局内監視制御装置１２１の初期設定の動作を示すフローチャートである。
【図１１】監視制御ユニット１０２及び各装置の動作を示すフローチャートである。
【図１２】ＶＳＡＴ地球局１００の監視制御の動作を示すフローチャートである。図１３に続く。
【図１３】ＶＳＡＴ地球局１００の監視制御の動作を示すフローチャートである。図１４に続く。
【図１４】ＶＳＡＴ地球局１００の監視制御の動作を示すフローチャートである。図１３から続く。
【符号の説明】
１０    通信衛星
２０    地上ネットワーク
１００、１００ａ〜１００ｃ    ＶＳＡＴ地球局
１００ｄ  ＶＳＡＴハブ局
１０１    監視制御端末
１０２、１０３    監視制御ユニット
１０４    ＬＡＮユニット
１１１    アンテナ装置
１１２    高周波送受信装置
１１３    変復調装置
１１４    映像制御装置
１２１    局内監視制御装置
１２２    監視対象装置
【図１】
0003637257.tif 000002
【図２】
0003637257.tif 000003
【図３】
0003637257.tif 000004
【図４】
0003637257.tif 000005
【図５】
0003637257.tif 000006
【図６】
0003637257.tif 000007
【図７】
0003637257.tif 000008
【図８】
0003637257.tif 000009
【図９】
0003637257.tif 000010
【図１０】
0003637257.tif 000011
【図１１】
0003637257.tif 000012
【図１２】
0003637257.tif 000013
【図１３】
0003637257.tif 000014
【図１４】
0003637257.tif 000015